(57)【特許請求の範囲】
【請求項１】
打抜き型の型基板の周囲に取付部を介して装着される保持部を備え、
前記保持部は、巻いた状態の刃当り調整シートを前記型基板の外側から出し入れ可能な開放部と、前記刃当り調整シートの脱落を防ぐための脱落防止手段とを有する刃当り調整シート保持具。
【請求項２】
前記脱落防止手段は、前記開放部の端縁部を折り曲げた折曲片として構成されている請求項１に記載の刃当り調整シート保持具。
【請求項３】
前記保持部は、大きさが異なる複数種類の刃当り調整シートを保持できるように構成されている請求項１又は２に記載の刃当り調整シート保持具。
【請求項４】
前記取付部は、前記型基板を挟持する一側部片及び他側部片を含み、
前記一側部片は、前記型基板と当接する当接部と、当該当接部と前記保持部とを接続する接続部とを有し、
前記接続部は、前記当接部から前記保持部に向かう方向において、前記他側部片から離れる方向に傾斜している請求項１〜３の何れか一項に記載の刃当り調整シート保持具。
【請求項５】
前記打抜き型の型基板に凹部が設けられ、前記当接部は凸部を有する請求項４に記載の刃当り調整シート保持具。
【請求項６】
請求項１〜５の何れか一項に記載の刃当り調整シート保持具を用いた刃当り調整シート保持方法であって、
保持部を打抜き型の型基板の周囲に取付部を介して装着する装着工程と、
前記型基板の外側を向いて形成された開放部から前記保持部に、刃当り調整シートを巻いた状態で保持させる保持工程と、
を包含する刃当り調整シート保持方法。
【発明の詳細な説明】
【技術分野】
【０００１】
本発明は、打抜き型の型基板と共に用いられる刃当り調整シート保持具、及び刃当り調整シート保持方法に関するものである。
【背景技術】
【０００２】
板紙、ダンボールシートなどの材料シートを用いて包装用箱を製造するには、その包装用箱を形成するのに必要な形状に展開した板（ブランク）が必要となる。このブランクの作製には、平版打抜き機などの型打抜き装置が使用される。型打抜き装置は、型基板の板面に複数の打抜き刃及び罫押し刃を植設した打抜き型を有する。打抜き型のレイアウトは、製造する包装用箱の寸法などに合わせて変更可能である。
【０００３】
打抜き型においては、打抜き刃が材料シートを十分に切断できない箇所（刃当りが悪い箇所）がある。また、打抜き型を繰り返し使用することで、刃当りが悪化することもある。そこで、不具合なくブランクを打抜くためには、度々打抜き型の刃当りを調整する必要がある。
【０００４】
打抜き型の刃当りの調整には、打抜き刃の配置図が描かれた刃当り調整シートが使用される。ここで、刃当りの調整を行った打抜き型でブランクの打抜きを行った後、再びブランクの打抜きを行うには、再度打抜き型の刃当りの調整が必要となる場合がある。従って、刃当り調整シートは、打抜き型と共に保管しておくことが利便性の点で望ましい。
【０００５】
従来、刃当り調整シートを保管するための収納具として、打抜き型の一辺に取り付ける刃当り調整シートの収納具が知られている（例えば、特許文献１を参照）。特許文献１の刃当り調整シートの収納具は、筒状の収納部の両側面に形成された開口部から、収納部の内部に巻いた状態の刃当り調整シート出し入れするものである。
【先行技術文献】
【特許文献】
【０００６】
【特許文献１】特開２００５−３２９５３９号公報
【発明の概要】
【発明が解決しようとする課題】
【０００７】
刃当り調整シートは、打抜き型と対応するものであり、通常、刃当り調整シートの収納具は、刃当り調整シートを対応する打抜き型と共に保管できるように構成されている。ところが、巻いた状態の刃当り調整シートは、拘束を解放すると元の形状に復元しようとして巻径が大きくなるため、特許文献１の刃当り調整シートの収納具に刃当り調整シートを収納しようとすると、刃当り調整シートを収納部に入れて手を離した瞬間に刃当り調整シートが拡径し、収納部の内壁に当接することになる。その結果、刃当り調整シートと収納部の内壁との間に抵抗が生じ、刃当り調整シートの出し入れが困難になるという問題があった。この問題は、打抜き型が大きい場合、刃当り調整シートのサイズの増大に伴って刃当り調整シートの巻き数も増えるためより顕在化する。また、刃当り調整シートの巻き数が増えると、そもそも両側面の開口部を通じて出し入れすることができない場合もある。
【０００８】
本発明は、上記問題点に鑑みてなされたものであり、巻き数の多い大きな刃当り調整シートであっても保持することができ、且つ刃当り調整シートの出し入れが容易な刃当り調整シート保持具、及び刃当り調整シート保持方法を提供することを目的とする。
【課題を解決するための手段】
【０００９】
上記課題を解決するための本発明に係る刃当り調整シート保持具の特徴構成は、
打抜き型の型基板の周囲に取付部を介して装着される保持部を備え、
前記保持部は、巻いた状態の刃当り調整シートを前記型基板の外側から出し入れ可能な開放部を有することにある。
【００１０】
本構成の刃当り調整シート保持具によれば、打抜き型の型基板の周囲に取付部を介して装着される保持部を備えるため、刃当り調整シートを対応する打抜き型と共に保管することができる。ここで、保持部は、巻いた状態の刃当り調整シートを型基板の外側から出し入れ可能な開放部を有するため、刃当り調整シートを出し入れする際に刃当り調整シートと保持部の内壁とが接触する機会が少なくなる。その結果、刃当り調整シートと収納部の内壁との間の抵抗が低減し、刃当り調整シートの保持部への出し入れが容易なものとなる。
【００１１】
本発明に係る刃当り調整シート保持具において、
前記刃当り調整シートの脱落を防ぐための脱落防止手段を有することが好ましい。
【００１２】
本構成の刃当り調整シート保持具によれば、刃当り調整シートの脱落を防ぐための脱落防止手段を有するため、保管中に開放部から刃当り調整シートが誤って脱落する虞を低減することができる。
【００１３】
本発明に係る刃当り調整シート保持具において、
前記脱落防止手段は、前記開放部の端縁部を折り曲げた折曲片として構成されていることが好ましい。
【００１４】
本構成の刃当り調整シート保持具によれば、脱落防止手段は、開放部の端縁部を折り曲げた折曲片として構成されているため、ヒモなどの別部材を必要とせず簡易でありながら、脱落防止性の高い脱落防止手段を提供できる。
【００１５】
本発明に係る刃当り調整シート保持具において、
前記保持部は、大きさが異なる複数種類の刃当り調整シートを保持できるように構成されていることが好ましい。
【００１６】
本構成の刃当り調整シート保持具によれば、保持部は、大きさが異なる複数種類の刃当り調整シートを保持できるように構成されているため、様々な大きさの打抜き型及び刃当り調整シートに対応可能な刃当り調整シート保持具を提供できる。
【００１７】
本発明に係る刃当り調整シート保持具において、
前記取付部は、前記型基板を挟持する一側部片及び他側部片を含み、
前記一側部片は、前記型基板と当接する当接部と、当該当接部と前記保持部とを接続する接続部とを有し、
前記接続部は、前記当接部から前記保持部に向かう方向において、前記他側部片から離れる方向に傾斜していることが好ましい。
【００１８】
本構成の刃当り調整シート保持具によれば、取付部は、型基板を挟持する一側部片及び他側部片を含むため、刃当り調整シート保持具を型基板により簡易に装着することができる。ここで、この一側部片は、型基板と当接する当接部と、当接部と保持部とを接続する接続部とを有し、接続部は、当接部から保持部に向かう方向において、他側部片から離れる方向に傾斜している。従って、やや厚みのある型基板であっても、接続部が弾性変形することで、当接部が型基板の板面との当接状態を維持でき、一側部片と他側部片とが協働して型基板を挟持することができる。このようにして、刃当り調整シート保持具が型基板から外れることを防ぐことができる。
【００１９】
本発明に係る刃当り調整シート保持具において、
前記打抜き型の型基板に凹部が設けられ、前記当接部は凸部を有することが好ましい。
【００２０】
本構成の刃当り調整シート保持具によれば、基板に設けられた凹部に当接部の凸部が嵌入するため、当接部と型基板の板面との当接状態を維持することができ、その結果、刃当り調整シート保持具が型基板から外れることをより一層防ぐことができる。
【００２１】
上記課題を解決するための本発明に係る刃当り調整シート保持方法の特徴構成は、
保持部を打抜き型の型基板の周囲に取付部を介して装着する装着工程と、
前記型基板の外側を向いて形成された開放部から前記保持部に、刃当り調整シートを巻いた状態で保持させる保持工程と、
を包含することにある。
【００２２】
本構成の刃当り調整シート保持方法によれば、保持部を打抜き型の型基板の周囲に取付部を介して装着する装着工程を行うことで、刃当り調整シートを対応する打抜き型と共に保管することができる。ここで、保持部は、巻いた状態の刃当り調整シートを型基板の外側から出し入れ可能な開放部を有するため、刃当り調整シートを巻いた状態で保持させる保持工程を行う際、刃当り調整シートと収納部の内壁とが接触する機会が少なくなる。その結果、刃当り調整シートと収納部の内壁との間の抵抗が低減し、刃当り調整シートの収納部への出し入れが容易なものとなる。
【図面の簡単な説明】
【００２３】
【図１】図１は、本発明の実施形態に係る刃当り調整シート保持具を打抜き型の型基板の周囲に装着した状態を示す平面図である。
【図２】図２は、本発明の実施形態に係る刃当り調整シート保持具の左側面図である。
【図３】図３は、本発明の実施形態に係る刃当り調整シート保持具の斜視図である。
【図４】図４は、本発明の実施形態に係る刃当り調整シート保持具をそれぞれ異なる方向から見た図である。
【図５】図５は、本発明の実施形態に係る刃当り調整シート保持具と型基板との係合状態を示す断面図である。
【図６】図６は、本発明の実施形態に係る刃当り調整シート保持具に刃当り調整シートを保持させる前後の状態を示す断面図である。
【図７】図７は、本発明の別実施形態に係る刃当り調整シート保持具の脱落防止手段を示す断面図である。
【発明を実施するための形態】
【００２４】
以下、本発明の刃当り調整シート保持具、及び刃当り調整シート保持方法について図面を参照しながら説明する。ただし、本発明は、以下に説明する構成に限定することを意図するものではない。なお、各図において、打抜き型及び刃当り調整シートの寸法などは、実際のサイズ関係を厳密に再現したものではなく、説明容易化のため適宜誇張、又は簡略化してある。
【００２５】
本明細書において、「上側」とは刃当り調整シート保持具を型基板に装着した状態において、断面視で、打抜き型の打抜き刃の刃先が向いている方向を意味し、「下側」とはその反対方向を意味する。また、「正面」とは刃当り調整シート保持具を型基板に装着した状態において、側面視で、刃当り調整シート保持具が型基板より手前側となるところを意味し、「背面」とはその反対を意味する。
【００２６】
〔刃当り調整シート保持具〕
図１は、本発明の実施形態に係る刃当り調整シート保持具１００を打抜き型１０の型基板１１の周囲に装着した状態を示す平面図である。打抜き型１０は型基板１１とその板面に植設された刃１２（打抜き刃及び罫押し刃）とを有する。本発明の刃当り調整シート保持具１００は、この打抜き型１０の型基板１１の周囲のいずれか一辺に装着し、刃当り調整シート１を保持するものである。これによって、刃当り調整シート１を対応する打抜き型１０と共に保管することができる。
【００２７】
図２乃至図４には、本発明の実施形態に係る刃当り調整シート保持具１００が示されている。図２は、刃当り調整シート保持具１００の左側面図である。図３は、刃当り調整シート保持具１００の斜視図であり、（ａ）は正面側斜視図、（ｂ）は背面側斜視図である。図４は、刃当り調整シート保持具１００をそれぞれ異なる方向から見た図であり、（ａ）は正面図、（ｂ）は右側面図、（ｃ）は平面図、（ｄ）は底面図、（ｅ）は背面図である。詳細は後述するが、刃当り調整シート保持具１００は、打抜き型１０の型基板１１の周囲に装着するための取付部１１０と、巻いた状態の刃当り調整シート１を保持するための保持部１５０とを備える。保持部１５０には、巻いた状態の刃当り調整シート１を型基板１１の外側から出し入れ可能な開放部１５５が、取付部１１０の反対側に形成されている。
【００２８】
刃当り調整シート保持具１００は、十分な強度を有しながら、型基板１１に対する着脱性、及び刃当り調整シート１の出し入れ容易性を考慮し、ある程度弾性変形可能な素材で構成されることが好ましい。このような素材として、例えば、アルミニウム合金、スチール、ステンレス鋼などの金属、ポリスチレン、ポリプロピレン、ポリエチレン、ＡＢＳ樹脂などの合成樹脂などを挙げることができる。
【００２９】
＜取付部＞
刃当り調整シート保持具１００は、取付部１１０を介し、打抜き型１０の型基板１１の周囲に装着される。
【００３０】
図２及び図３（ｂ）に示すように、取付部１１０は、型基板１１を挟持する一側部片１１１と他側部片１１２とを含む。なお、本実施形態では、取付部１１０の上側の部片を一側部片１１１とし、下側の部片を他側部片１１２としているが、下側の部片を一側部片とし、上側の部片を他側部片としても構わない。図２に示すように、一側部片１１１と他側部片１１２とで型基板１１を挟持する構成は、刃当り調整シート保持具１００を型基板１１に簡易に装着することができるため好ましい。
【００３１】
図２に示すように、一側部片１１１は、型基板１１と当接する当接部１１１ａと、当該当接部１１１ａと保持部１５０とを接続する接続部１１１ｂとを有する。ここで、接続部１１１ｂは、当接部１１１ａから保持部１５０に向かう方向（背面から正面に向かう方向）において、他側部片１１２から離れる方向（下側から上側の方向）に傾斜していることが好ましい。このような形態とすることで、型基板１１がやや厚みがあるものであっても、接続部１１１ｂが弾性変形することで、当接部１１１ａが型基板１１の板面との当接状態を維持でき、一側部片１１１と他側部片１１２とが協働して型基板１１を挟持することができる。このようにして、刃当り調整シート保持具１００が型基板１１から外れることを防ぐことができる。
【００３２】
図２及び図４（ｅ）に示すように、当接部１１１ａは凸部１１５を有することが好ましい。この凸部１１５は、図５に示すように、型基板１１の上側の板面に設けられた凹部１５と係合する。従来品における凸部は、直線状に形成された上側部片に設けられていたが、このような凸部は、型基板１１がやや厚みのあるものである場合、上側部片が上側に弾性変形し型基板１１の凹部１５から抜け出てしまう虞があった。一方、本実施形態では、図５（ａ）及び（ｂ）に示すように、一般的な板厚ｔ１を有する型基板１１だけでなく、板厚ｔ１より厚い板厚ｔ２を有する型基板１１であっても、当接部１１１ａが型基板１１の板面との当接状態を維持できるため、凸部１１５が型基板１１に設けられた凹部１５から抜けることがない。従って、刃当り調整シート保持具１００が型基板１１から外れることを防ぐことができる。
【００３３】
また、図５（ｃ）に示すように、型基板１１の下側の板面に設けられた凹部１６に係合する凸部１１６を他側部片１１２に設けてもよい。凸部１１５に加えて、凸部１１６を設けることで、型基板１１は上下方向から強固に狭持されるため、刃当り調整シート保持具１００が型基板１１から外れることを確実に防ぐことができる。
【００３４】
さらに、図５（ｃ）に示すように、当接部１１１ａに設けられた凸部１１５、及び他側部片１１２に設けられた凸部１１６は、正面側から背面側に向かって凸が低くなるように傾斜していてもよい。これによって、刃当り調整シート保持具１００を型基板１１に装着する際に、凸部１１５及び凸部１１６の凸が低くなった部分が、型基板１１の上側及び下側の板面に最初に接触する。続いて、刃当り調整シート保持具１００をスライドさせると、凸部１１５及び凸部１１６の傾斜に沿って接続部１１１ｂ及び他側部片１１２が徐々に弾性変形し、刃当り調整シート保持具１００を型基板１１に円滑に装着することができる。最後に、凸部１１５及び凸部１１６の凸が高くなった部分が、凹部１５及び凹部１６にそれぞれ係合し、刃当り調整シート保持具１００が型基板１１から外れることを確実に防ぐことができる。
【００３５】
図５に示すように、一側部片１１１（当接部１１１ａ）は、その背面方向の先端に反返部１１７を有してもよい。反返部１１７は、背面方向に向かって上側に傾斜している。反返部１１７を有することにより、図５（ｂ）及び（ｃ）に示すように、やや厚みのある型基板１１であっても、型基板１１を反返部１１７に沿わせるように保持させることで、一側部片１１１が上側に弾性変形し、刃当り調整シート保持具１００を装着し易くなる。
【００３６】
図４（ｃ）に示すように、一側部片１１１は、複数の部片に分割され、部片と部片の間にスリット１１８が形成されることが好ましい。しかし、これに限定されず、一側部片１１１全体が一体に形成されていてもよい。凸部１１５は、一つ又は複数の部片に設けることができる。刃当り調整シート保持具１００を型基板１１に装着する際に、凸部１１５が型基板１１の板面と干渉して当接部１１１ａが上側に持ち上がる。このとき、当該上側に持ち上がる力は、凸部１１５を有する部片だけに作用するため、接続部１１１ｂが弾性変形し易く装着が容易になる。また、刃当り調整シート保持具１００を型基板１１から取り外す際も、凸部１１５を凹部１５から引き抜くには凸部１１５を有する部片だけを上側に持ち上げればよいため、取り外しが容易になる。
【００３７】
図４（ｃ）に示すように、一側部片１１１が複数の部片に分割される場合、部片間のスリット１１８は、各部片の接続部１１１ｂの間に形成される細幅スリット１１８ａと、各部片の当接部１１１ａの間に形成される幅広スリット１１８ｂとによって構成されてもよい。なお、反返部１１７を有する場合、各部片の反返部１１７の間に形成されるスリット１１８は、幅広スリット１１８ｂである。幅広スリット１１８ｂを設けることで、刃当り調整シート保持具１００を型基板１１から取り外す際に、幅広スリット１１８ｂを介し、当接部１１１ａと型基板１１の板面との間に工具又は指先を掛けることができるので、一側部片１１１を上側に持ち上げて凸部１１５を凹部１５から引き抜き易くなる。
【００３８】
図４（ｃ）に示すように、他側部片１１２は、他側部片１１２全体が一体に形成されているが、これに限定されず、他側部片１１２を複数の部片に分割してもよい。他側部片１１２を分割することで、刃当り調整シート保持具１００を型基板１１に装着する際に他側部片１１２が下側に持ち上がる力は、凸部１１６を有する部片だけに作用するため装着が容易になる。また、刃当り調整シート保持具１００を型基板１１から取り外す際も、凸部１１６を凹部１６から引き抜くには凸部１１６を有する部片を下側に持ち上げればよいため、取り外しが容易になる。
【００３９】
＜保持部＞
保持部１５０は、巻いた状態の刃当り調整シート１を保持する。図２及び図３に示すように、保持部１５０の正面（取付部１１０の反対側であって、型基板１１の端部から遠位となる面）には、巻いた状態の刃当り調整シート１を型基板１１の外側から出し入れ可能な開放部１５５が形成されている。
【００４０】
より詳細には、図２に示すように、保持部１５０は、保持部背部１５０ａと、保持部背部１５０ａの上部から正面に向けて突出する保持部上部１５０ｂと、保持部背部１５０ａの下部から正面に向けて突出する保持部下部１５０ｃとを備える。保持部１５０の左右の側部には、側方開放部１５６が形成されている。側方開放部１５６と保持部１５０正面の開放部１５５とにより、三方向に連続した開放部が形成される。
【００４１】
保持部上部１５０ｂと保持部下部１５０ｃとは、保持部背部１５０ａを介して接続されているため、保持部上部１５０ｂ及び保持部下部１５０ｃは、それぞれ保持部背部１５０ａとの接続点を支点として上下に弾性変形可能である。この弾性変形によって、保持部１５０は、大きさが異なる複数種類の刃当り調整シート１を保持できる。従って、巻き数が多く且つ巻径の大きい刃当り調整シート１であっても保持することが可能となる。
【００４２】
図６は、本発明の実施形態に係る刃当り調整シート保持具１００に刃当り調整シート１を保持させる前後の状態を示す断面図であり、（ａ）は、刃当り調整シート保持具１００に刃当り調整シート１を保持させる前の断面図であり、（ｂ）は、刃当り調整シート保持具１００に刃当り調整シート１を保持させた後の断面図である。図６（ａ）に示すように、巻回された状態の刃当り調整シート１は、作業者が手で掴むなどして拘束状態が維持されているため、刃当り調整シート１の巻径Ｄ１は、開放部１５５の上下幅と略同一又はやや小さくなっている。この状態において、刃当り調整シート１は、開放部１５５を介して、保持部１５０に容易に挿入することができる。すなわち、矢印Ａで示すように、保持部１５０の正面の開放部１５５から保持部１５０に刃当り調整シート１をスライドさせると、刃当り調整シート１は、巻径Ｄ１から巻径Ｄ２に拡径する前に保持部１５０の内部に移動する。このとき、刃当り調整シート１の外周と保持部１５０の内壁との接触機会は少ないため、刃当り調整シート１はほとんど抵抗を受けることなく保持部１５０に挿入される。続いて、図６（ｂ）に示すように、刃当り調整シート１の拘束を完全に解放すると、刃当り調整シート１は元の形状に復元しようとして巻径Ｄ２に拡径し、刃当り調整シート１の外周は保持部１５０の内壁と当接した状態となる。これにより、刃当り調整シート１は、保持部１５０に保持される。
【００４３】
ちなみに、巻いた状態の刃当り調整シート１を従来のように、左右いずれかの側方開放部１５６から保持部１５０に差し込んで保持させようとすると、保持部１５０に刃当り調整シート１を入れて手を離した瞬間に作業者の手による拘束が解放される。そうすると、巻いた状態の刃当り調整シート１が元の形状に復元しようとし、刃当り調整シート１は巻径Ｄ１から巻径Ｄ２に拡径し、拡径した刃当り調整シート１の外周が保持部１５０の内壁に接触する。その結果、刃当り調整シート１を保持部１５０に差し込む動作に対する抵抗が大きくなる。また、左右いずれかの側方開放部１５６から保持部１５０に巻いた状態の刃当り調整シート１を差し込んで保持させるには、巻いた状態の刃当り調整シート１を長尺方向に挿入することになるため、刃当り調整シート１の差し込み動作を行う間は常に強い抵抗を受けることとなり、手間を要する。
【００４４】
保持部１５０から刃当り調整シート１を取り出すときは、従来のように側方開放部１５６から引き抜くことで容易に取り出すことができる。又は、巻いた状態の刃当り調整シート１がある程度の剛性を有するものであれば、刃当り調整シート１の側方開放部１５６から出ている端部を上下方向から押して当該端部を扁平させると、刃当り調整シート１の中央部も当該端部の形状に追随して扁平するため、開放部１５５から取り出すことができる。
【００４５】
保持部１５０（保持部背部１５０ａ、保持部上部１５０ｂ、及び保持部下部１５０ｃ）の寸法は、型基板１１及び刃当り調整シート１の大きさを考慮して設定することができるが、打抜き型１０の刃１２及び／又は押え部材１３を考慮して設定することが好ましい。図６に示すように、型基板１１の上側の板面には、型基板１１に植設された刃１２の両側に沿って、包装用箱の材料シートを押えるための押え部材１３が配設されている。一般に、押え部材１３は、主にスポンジ材が使用されており、刃１２の刃先より２〜３ｍｍ高くなるように型基板１１の板面に配設されている。保持部１５０の型基板１１の上側の板面からの高さＨは、刃当り調整シート保持具１００を型基板１１に装着した状態において、刃１２及び／又は押え部材１３の型基板１１の上側の板面からの高さとほぼ同じかやや低くすることが好ましい。これにより、刃当り調整シート保持具１００が型基板１１に装着されていても、打抜き操作の際、保持部１５０が材料シートと接触することがなく、打抜き操作に支障を来たさない。また、保持部１５０の左右方向の長さは、刃当り調整シート保持具１００を装着する型基板１１の周囲の一辺（長辺又は短辺）の長さとほぼ同じかやや短くすることが好ましい。
【００４６】
刃当り調整シート保持具１００は、刃当り調整シート１の脱落を防ぐための脱落防止手段１５７を有することが好ましい。脱落防止手段１５７を有することで、保管中に開放部１５５から刃当り調整シート１が誤って脱落する虞を低減することができる。
【００４７】
脱落防止手段１５７は、図２及び図４（ａ）に示すように、開放部１５５の正面側の端縁部（すなわち、保持部上部１５０ｂ及び／又は保持部下部１５０ｃの正面側の端縁部）を折り曲げた折曲片として構成することが好ましい。このような折曲片は、簡易な構成でありながら、脱落防止性の高い脱落防止手段１５７を提供することができる。
【００４８】
〔別実施形態〕
本発明の刃当り調整シート保持具１００は、上記の実施形態で説明した構成を変更することも可能である。刃当り調整シート保持具１００における、いくつかの変更例を別実施形態として説明する。
【００４９】
＜別実施形態１＞
上記の実施形態では、折曲片により脱落防止手段１５７とした形態を示したが、他の形態を採用することも可能である。図７は、本発明の別実施形態に係る刃当り調整シート保持具１００の脱落防止手段１５７の断面図である。図７（ａ）は、保持部１５０に刃当り調整シート１を保持した後、保持部上部１５０ｂ及び保持部下部１５０ｃをヒモで結合することにより脱落防止手段１５７としたものである。ヒモとして伸縮性のあるものを使用すれば、開放部１５５から一部がはみ出るような大きな刃当り調整シート１であっても脱落を防止することができる。図７（ｂ）は、保持部１５０に刃当り調整シート１を保持させた後、開放部１５５の少なくとも一部を覆うカバーによって脱落防止手段１５７としたものである。このようなカバーを使用すれば、当該カバーの外側に打抜き型１０に関する情報（例えば、包装用箱の種類、製品番号、寸法など）を記載し、保管時の管理を容易にすることができる。図７（ｃ）は、保持部１５０に刃当り調整シート１を保持させた後、巻いた状態の刃当り調整シート１の外周と当接するピンによって脱落防止手段１５７としたものである。ピンは、保持部上部１５０ｂから保持部下部１５０ｃまで貫通しており、このピンの軸部が刃当り調整シート１に当接することで、刃当り調整シート１の脱落を確実に防止することができる。
【００５０】
＜別実施形態２＞
上記の実施形態では、取付部１１０が、型基板１１と当接する当接部１１１ａと、当接部１１１ａから保持部１５０に向かう方向において、他側部片１１２から離れる方向に傾斜している接続部１１１ｂとを有することで、やや厚みのある型基板１１であっても装着できる形態を示したが、他の形態を採用することも可能である。図示は省略するが、取付部１１０がクランプ機構を備える構成とし、当該クランプ機構により一側部片１１１又は他側部片１１２を上下方向に移動させ、異なる厚みの型基板１１を挟持する形態としてもよい。又は、取付部１１０がコイルバネを備える構成とし、当該コイルバネの弾性力により一側部片１１１又は他側部片１１２を型基板１１の板面に付勢し、異なる厚みの型基板１１を挟持する形態としてもよい。
【００５１】
＜別実施形態３＞
上記の実施形態では、保持部上部１５０ｂ及び保持部下部１５０ｃは、左右方向に同一の長さを有し、上下方向に対向している形態を示したが、他の形態を採用することも可能である。図示は省略するが、保持部上部１５０ｂ及び保持部下部１５０ｃは、夫々左右方向に異なる長さを有してもよい。また、保持部上部１５０ｂ及び保持部下部１５０ｃは、上下方向に対向している必要はなく、例えば、正面側から見て、保持部１５０の左半分は保持部背部ａ及び保持部上部１５０ｂにより構成され、右半分は保持部背部ａ及び保持部下部１５０ｃにより構成される形態としてもよい。又は、保持部１５０は、保持部背部１５０ａ及び保持部下部１５０ｃにより構成され、型基板１１の外側から巻いた状態の刃当り調整シート１を保持部下部１５０ｃに載置した後、ヒモ又はカバーなどの脱落防止手段１５７によって刃当り調整シート１を係止し、保持部１５０に保持する構成としてもよい。
【００５２】
〔刃当り調整シート保持方法〕
本発明の刃当り調整シート保持方法は、本発明の刃当り調整シート保持具１００を使用して実施可能なものであり、刃当り調整シート保持具１００の保持部１５０を型基板１１に装着する装着工程と、型基板１１の外側を向いて形成された開放部１５５から刃当り調整シート１を保持部１５０に保持させる保持工程とを包含する。以下、各工程について説明する。
【００５３】
＜装着工程＞
装着工程では、打抜き型１０の型基板１１の周囲の一辺（長辺又は短辺）に取付部１１０を介して、一つ以上の刃当り調整シート保持具１００を装着する。この際に、刃当り調整シート保持具１００が、装着する型基板１１の一辺からはみ出さないようにすることが好ましい。こうすることで、収納棚などでコンパクトに保管することができる。
【００５４】
装着工程において、保持部背部１５０ａの少なくとも一部が型基板１１の側面と接することが好ましい。これにより、刃当り調整シート保持具１００の安定した装着が可能になる。
【００５５】
なお、この装着工程の後に、必要に応じて、電気ドリルなどにより取付部１１０を貫通して型基板１１に至る係止孔を穿孔し、この係止孔にネジを螺合することで取付部１１０を型基板１１に固定する螺合工程を実施してもよい。これにより、刃当り調整シート保持具１００が型基板１１から外れることを確実に防ぐことができる。
【００５６】
＜保持工程＞
保持工程では、型基板１１の外側（取付部１１０の反対側であって、型基板１１の端部から遠位となる側）を向いて形成された開放部１５５から保持部１５０に、刃当り調整シート１を巻いた状態で保持させる。すなわち、図６（ａ）において矢印Ａで示されるように、刃当り調整シート保持具１００を装着した型基板１１の一辺に外側から近づく方向から、刃当り調整シート１を保持部１５０にスライドさせる。こうすることで、刃当り調整シート１を巻径Ｄ１から巻径Ｄ２に拡径する前に保持部１５０の内部に移動することができ、刃当り調整シート１と保持部１５０の内壁との接触機会は少ないため、刃当り調整シート１はほとんど抵抗を受けることなく保持部１５０に保持（挿入）することができる。このとき、刃当り調整シート１を巻径が可能な限り小さくなるように巻回しておくと、刃当り調整シート１と保持部１５０の内壁とが接触する機会が少なくなり、その結果、刃当り調整シート１を保持部１５０に保持させる際の抵抗を低減することができる。続いて、図６（ｂ）に示すように、刃当り調整シート１の拘束を完全に解放すると、刃当り調整シート１は元の形状に復元しようとして巻径Ｄ２に拡径し、刃当り調整シート１は保持部１５０の内壁と当接した状態となる。これにより、保持部１５０により刃当り調整シート１を保持する。
【００５７】
図１に示すように、複数の刃当り調整シート保持具１００を型基板１１に装着した場合は、装着したすべての刃当り調整シート保持具１００の保持部１５０に刃当り調整シート１を順次保持させる。加えて、複数の刃当り調整シート保持具１００を型基板１１に装着する場合は、巻いた状態の刃当り調整シート１の長尺方向の両端近傍のそれぞれを刃当り調整シート保持具１００で保持することが好ましい。これにより、保管中に刃当り調整シート１の両端が重力により下垂して変形することを防止できる。
【産業上の利用可能性】
【００５８】
本発明の刃当り調整シート保持具、及び刃当り調整シート保持方法は、包装用箱の製造時に使用する打抜き型と、打抜き型に対応する刃当り調整シートとをともに保管する用途に利用することが可能である。
【符号の説明】
【００５９】
１                  刃当り調整シート
１０                打抜き型
１１                型基板
１５                凹部
１００              刃当り調整シート保持具
１１０              取付部
１１１              一側部片
１１１ａ            当接部
１１１ｂ            接続部
１１２              他側部片
１１５              凸部
１５０              保持部
１５５              開放部
１５７              脱落防止手段
【要約】
【課題】巻き数の多い大きな刃当り調整シートであっても保持することができ、且つ刃当り調整シートの出し入れが容易な刃当り調整シート保持具、及び刃当り調整シート保持方法を提供する。
【解決手段】打抜き型１０の型基板１１の周囲に取付部１１０を介して装着される保持部１５０を備え、前記保持部１５０は、巻いた状態の刃当り調整シート１を前記型基板１１の外側から出し入れ可能な開放部１５５を有する刃当り調整シート保持具１００。
【選択図】図３【図１】
0006727683.tif 000002
【図２】
0006727683.tif 000003
【図３】
0006727683.tif 000004
【図４】
0006727683.tif 000005
【図５】
0006727683.tif 000006
【図６】
0006727683.tif 000007
【図７】
0006727683.tif 000008